(57)【要約】【課題】床下基部上にコンクリートブロックを設置する必要がない。洗い場側床パンのアジャスタボルトの高さ調整が容易に行える。【解決手段】複数の下フレーム１の上面間に下フレーム１より背の高い上フレーム２を複数列架設して浴槽支持枠体３を構成する。下フレーム１の下面部から垂設した高さ調整自在な浴槽側アジャスタボルト４の下端部を床下基部５上に載設する。洗い場側床パン６の下面部の一端部側に洗い場補強フレーム７を固着する。洗い場側床パン６の下面部の他側端部に洗い場側アジャスタボルト９を有する脚８を固着する浴槽支持枠体３の上フレーム２の長手方向の端部上に洗い場側床パン６の洗い場補強フレーム７を載設して固着具１０により固着する。洗い場側アジャスタボルト９の下端部を床下基部５に載設する。浴槽支持枠体３の上フレーム２上に浴槽ユニット１１を載設する。【選択図】        図１
2004176324.tif 000002
【特許請求の範囲】
【請求項１】
隙間を介して並設した複数の下フレームの上面間に下フレームより背の高い上フレームを複数列架設して浴槽支持枠体を構成し、該浴槽支持枠体の下フレームの下面部から垂設した高さ調整自在な浴槽側アジャスタボルトの下端部を床下基部上に載設し、洗い場側床パンの下面部の一端部側に洗い場補強フレームを固着し、洗い場側床パンの下面部の洗い場補強フレームを固着した方と反対側の他側端部に脚を固着すると共に脚の下面部から洗い場側アジャスタボルトを高さ調整自在に垂設し、浴槽支持枠体の上フレームの長手方向の端部上に洗い場側床パンの洗い場補強フレームを載設して接続手段により浴槽支持枠体と洗い場側床パンとを接続すると共に洗い場側アジャスタボルトの下端部を床下基部に載設し、浴槽支持枠体の複数列の上フレーム上に浴槽ユニットを載設して成ることを特徴とする浴槽ユニット及び洗い場側床パンの支持構造。
【請求項２】
上フレームを下フレームよりの背の高い断面略逆Ｖ字状をしたハット形鋼で構成し、ピース状の脚を断面略Ｖ字状をしたハット形鋼により構成して成ることを特徴とする請求項１記載の浴槽ユニット及び洗い場側床パンの支持構造。
【請求項３】
断面略逆Ｖ字状をしたハット形鋼よりなる上フレームの両側斜片の下端部に横方向に向けて固定横片を連出し、該固定横片を下フレームの上面に載設してビスにより固着して成ることを特徴とする請求項２記載の浴槽ユニット及び洗い場側床パンの支持構造。
【発明の詳細な説明】
【０００１】
【発明の属する技術分野】
本発明は、浴槽ユニット及び洗い場側床パンの支持構造に関するものである。
【０００２】
【従来の技術】
従来から浴槽ユニット及び洗い場側床パンを支持するに当たって、図１３に示すように対向する一対の第１フレーム３０間に第１フレーム３０と直角に複数の第２フレーム３１を架設して第１フレーム３０と第２フレーム３１との上面を面一とし、更に、一対の第１フレーム３０の端部の上面に支柱３２を立設して支柱３２上に横架材３３を架設し、第１フレーム３０の下面部に高さ調整自在な浴槽側アジャスタボルト４を設けて浴槽支持枠体３４を構成するものが知られている。（例えば特許文献１参照）
上記従来例のものは戸建て住宅のような場合、床スラブのような床下基部５から浴槽支持枠体３４までの高さが高いため特許文献１に示される従来例においては、床スラブなどの床下基部５上に複数のコンクリートブロック３６を設置し、このコンクリートブロック３６の上に浴槽支持枠体３４の浴槽側アジャスタボルト４を載せ、次に、洗い場側床パン６の一端部を浴槽支持枠体３４の横架材３３の上に載設すると共に洗い場側床パン６の他端部の下面部に垂設した洗い場側アジャスタボルト９を別のコンクリートブロック３６の上に載設し、洗い場側床パン６を洗い場補強フレーム７への載置部分において固着具により固着し、各アジャスタボルトを操作して洗い場側床パン６、浴槽支持枠体３４の高さ調整を行い、高さ調整後に浴槽支持枠体３４上に浴槽ユニットを載設するようになっている。
【０００３】
【特許文献１】
特開２００２−２１９０６７号公報
【０００４】
【発明が解決しようとする課題】
上記特許文献１に示される従来例にあっては、浴槽支持枠体３４のレベルが高い場合、床スラブのような床下基部５上に特別に現場施工で複数のコンクリートブロック３６を設置する必要があり、この場合、床下基部５上に墨出し等でコンクリートブロック３６の位置決めをして複数のコンクリートブロック３６を設置すると共にモルタル等で各コンクリートブロック３６を床下基部５に固着するといった作業が必要で、現場施工が面倒となるという問題があり、また、複数のコンクリートブロック３６上に浴槽支持枠体３４の複数の浴槽側アジャスタボルト４や洗い場ユニットの複数の洗い場側アジャスタボルト９を現場で設置する作業もし難いという問題がある。なお、浴槽支持枠体３４のレベルを高くするためにアジャスタボルトを長くすることが考えられるが、アジャスタボルトをあまり長くすると浴槽支持枠体３４の支持が不安定となるので好ましくない。
【０００５】
また、上記従来例にあっては、洗い場側床パン６の他端部の下面部に垂設した洗い場側アジャスタボルト９を操作して高さ調整する場合、第２フレーム３１と洗い場補強フレーム７との間（つまり第２フレーム３１と洗い場側床パン６の下面との間）の隙間から身体を入れて操作するのであるが、この隙間の上下方向の隙間幅が狭いため、この隙間から身体を入れて奥の洗い場側アジャスタボルト９を操作する作業がし難いという問題がある。
【０００６】
また、従来例にあっては、浴槽支持枠体３は各部材を溶接により固着して枠組みしたもので、あらかじめ工場で溶接一体化されたものを現場に運んでおり、このため、搬送し難く、また、現場においても浴室を形成するための狭い空間内に枠組みされた大きな浴槽支持枠体３を運び込んで設置する作業が面倒であった。
【０００７】
本発明は上記の点に鑑みてなされたものであり、床下基部上にコンクリートブロックを設置することなく、簡単な構成で浴槽支持枠体の床下基部からの高さが高くてもこれを確保できると共に浴槽支持枠体や洗い場ユニットのアジャスタボルトの設置作業が容易に行え、また、洗い場側床パンの他端の下面部に垂設したアジャスタボルトの高さ調整が容易に行え、更に浴槽支持枠体を現場で簡単に組み立てることができる浴槽ユニット及び洗い場側床パンの支持構造を提供することを課題とするものである。
【０００８】
【課題を解決するための手段】
上記課題を解決するために本発明に係る浴槽ユニット及び洗い場側床パンの支持構造は、隙間を介して並設した複数の下フレーム１の上面間に下フレーム１より背の高い上フレーム２を複数列架設して浴槽支持枠体３を構成し、該浴槽支持枠体３の下フレーム１の下面部から垂設した高さ調整自在な浴槽側アジャスタボルト４の下端部を床下基部５上に載設し、洗い場側床パン６の下面部の一端部側に洗い場補強フレーム７を固着し、洗い場側床パン６の下面部の洗い場補強フレーム７を固着した方と反対側の他側端部に脚８を固着すると共に脚８の下面部から洗い場側アジャスタボルト９を高さ調整自在に垂設し、浴槽支持枠体３の上フレーム２の長手方向の端部上に洗い場側床パン６の洗い場補強フレーム７を載設して洗い場補強フレーム７を載設して接続手段により浴槽支持枠体３と洗い場側床パン６とを接続すると共に洗い場側アジャスタボルト９の下端部を床下基部５に載設し、浴槽支持枠体３の複数列の上フレーム２上に浴槽ユニット１１を載設して成ることを特徴とするものである。このように複数の下フレーム１の上面間に下フレーム１より背の高い上フレーム２を複数列架設して浴槽支持枠体３を構成し、この浴槽支持枠体３の下フレーム１の下面部から浴槽側アジャスタボルト４を垂設し、洗い場側床パン６の下面部の洗い場補強フレーム７を固着した方と反対側の他側端部に脚８を固着すると共に脚８の下面部から洗い場側アジャスタボルト９を高さ調整自在に垂設することで、背の高い上フレーム２、脚８により上下高さを確保できて、従来のように上下高さを確保するためにコンクリートブロックを設置してその上に浴槽側アジャスタボルト４や洗い場側アジャスタボルト９を設置するというようなことが必要でなくなったものである。また、下フレーム１の上面間に下フレーム１より背の高い上フレーム２を複数列架設し、上フレーム２の長手方向の端部上に洗い場側床パン６の洗い場補強フレーム７を載設することで、背の高い上フレーム２の端部間に比較的上下方向の幅が大きい隙間Ｓが形成されることになり、この背の高い上フレーム２の端部間の隙間Ｓから作業者が身体を入れて洗い場側床パン６の他端下面部の洗い場側アジャスタボルト９の高さ調整ができて、高さ調整が容易に行えるものである。
【０００９】
また、上フレーム２を下フレーム１よりの背の高い断面略逆Ｖ字状をしたハット形鋼で構成し、ピース状の脚８を断面略Ｖ字状をしたハット形鋼により構成することが好ましい。このような構成とすることで、上フレーム２、脚８の背を高くしても安定して荷重を支持できることになる。
【００１０】
また、断面略逆Ｖ字状をしたハット形鋼よりなる上フレーム２の両側斜片１２の下端部に横方向に向けて固定横片１３を連出し、該固定横片１３を下フレーム１の上面に載設してビス１４により固着することが好ましい。このような構成とすることで、浴槽支持枠体３の組み立てに当たって、従来のように溶接により固着する必要がなくてビス１４止めにより簡単に組み立てることができ、これにより、現場で浴槽支持枠体３を組み立てることが可能となり、現場への各部材の搬入等が容易に行えることになる。
【００１１】
【発明の実施の形態】
以下、本発明を添付図面に示す実施形態に基づいて説明する。
【００１２】
まず図１乃至図６に示す実施形態につき説明する。浴槽支持枠体３は図２に示すようなもので、隙間を介して並設した複数の下フレーム１の上面間に下フレーム１より背の高い上フレーム２を複数列架設して浴槽支持枠体３を構成してある。下フレーム１は例えば金属製の角パイプなどにより形成してあり、また、上フレーム２は下フレーム１よりの背の高い断面略逆Ｖ字状をしたハット形鋼で構成してある。断面略逆Ｖ字状をしたハット形鋼よりなる上フレーム２は両側斜片１２の下端部に横方向に向けて固定横片１３を連出してあり、この固定横片１３を下フレーム１の上面に載設してビス１４により固着してある。下フレーム１には長手方向の両端部の下面部に下方に向けて高さ調整自在な浴槽側アジャスタボルト４が垂設してある。また、断面略逆Ｖ字状をしたハット形鋼よりなる上フレーム２の上端面部の長手方向の一端部付近には図２（ａ）（ｂ）に示すように上方に開口する接続用溝部１８を有する接続部材１９が固着してある。接続用溝部１８は図２（ｃ）に示すように下部が後述のリブ２０がぴったりと嵌り込む大きさの縦溝部１８ａとなっており、上部は上方程溝幅が広くなる傾斜面１８ｂとなっていて、傾斜面１８ｂがリブ２０を嵌め込む際のガイドとなっている。
【００１３】
上記の構成の浴槽支持枠体３は現場で下フレーム１上に背の高い上フレーム２をビス１４止めで固着着することで枠組みできるものであり、したがって、現場までは枠組みしない状態で各部材を運ぶことができて、現場への搬送がきわめて容易となる。
【００１４】
そして、現場で上記のように浴槽支持枠体３を組み立てて浴槽側アジャスタボルト４を床スラブのような床下基部５に載設する（図２（ｂ）参照）。
【００１５】
洗い場側床パン６の下面部は図３（ｂ）に示すように格子状にリブ２０が設けてある。この洗い場側床パン６の下面部の一端部側には洗い場側床パン６の一辺（浴槽支持枠体３と接続する側の一辺）に沿って長尺のバー材よりなる洗い場補強フレーム７が固着してあり、また、洗い場側床パン６の下面部の洗い場補強フレーム７を固着した方と反対側の他側端部の両側部にそれぞれピース状の脚８が固着してある。この２個の脚８は断面略Ｖ字状をしたハット形鋼により形成してある。各脚８の下面部（断面略Ｖ字状をしたハット形鋼の下面部）から高さ調整自在な洗い場側アジャスタボルト９が垂設してある。洗い場側床パン６の下面部への上記洗い場補強フレーム７、脚８等の取付けは現場において行うものである（図３（ａ）（ｂ）参照）。もちろん、洗い場側床パン６の下面部への上記洗い場補強フレーム７、脚８等の取付けをあらかじめ工場において行っておいてもよい。
【００１６】
上記構成の洗い場側床パン６は図４に示すように下面部の一端部に設けた洗い場補強フレーム７を浴槽支持枠体３の上フレーム２の長手方向の端部上に載設すると共に洗い場側床パン６の下面部の他端部の脚８下面部に垂設した洗い場側アジャスタボルト９の下端部を床下基部５に載設する。この場合、洗い場側床パン６の下面部のリブ２０を上フレーム２に設けた接続部材１９の接続用溝部１８に嵌め込んで位置決めして接続するものである。したがって、本実施形態においては、接続用溝部１８とこれに嵌め込まれるリブ２０とで洗い場側床パン６と浴槽支持枠体３とを接続するための接続手段が構成してある。この実施形態では嵌め込みにより位置決め接続しているので、ねじ具などによる接続に比べて、施工性が向上するものである。
【００１７】
この段階では浴槽支持枠体３、洗い場側床パン６のレベルが所定レベルではないので、レベル出しを行う必要がある。レベル出しに当たっては最もアジャスタボルトの高さ調整作業がし難い場所に位置する洗い場側床パン６の他端部側の洗い場側アジャスタボルト９から行い。その後、アジャスタボルトの高さ調整作業がしやすい場所に位置する浴槽支持枠体３に設けた各浴槽側アジャスタボルト４を行う。一例を示すと、例えば、図５の▲１▼の個所の洗い場側アジャスタボルト９→▲２▼の個所の洗い場側アジャスタボルト９→▲３▼の個所の浴槽側アジャスタボルト４→▲４▼の個所の浴槽側アジャスタボルト４→▲５▼の個所の浴槽側アジャスタボルト４→▲６▼の個所の浴槽側アジャスタボルト４の順序でアジャスタボルトの高さ調整作業を行って、洗い場側床パン６と浴槽支持枠体３のレベル出しを行うものである。ここで、▲１▼と▲２▼における高さ調整作業はどちらが先であってもよく、また、▲３▼、▲４▼、▲５▼、▲６▼における高さ調整作業の順番はどのような順番であってもよい。
【００１８】
ここで、本発明においては、下フレーム１の上面間に下フレーム１より背の高い上フレーム２を複数列架設し、上フレーム２の長手方向の端部上に洗い場側床パン６の洗い場補強フレーム７を載設することで、背の高い上フレーム２の端部間に比較的上下方向の幅が大きい隙間Ｓが形成されることになる。したがって、上記▲１▼、▲２▼の個所の洗い場側アジャスタボルト９の高さ調整に当たっては、上記背の高い上フレーム２の端部間の隙間Ｓから作業者が身体を入れて洗い場側床パン６の他端下面部の洗い場側アジャスタボルト９の高さ調整ができるものであり、高さ調整が容易に行えるのである。
【００１９】
上記のように浴槽支持枠体３、洗い場側床パン６のレベル出しが完了すると、図６に示すように浴槽支持枠体３の複数列の上フレーム２上に浴槽ユニット１１を載設し、洗い場側床パン６のエプロン用立ち上がり部６ａに設けた点検口６ｂから手を入れて浴槽ユニット１１と浴槽支持枠体３の上フレーム２とを任意の固定手段により固定するものである。例えば、Ｌ型金具２２の縦片を浴槽ユニット１１に固着し、Ｌ型金具２２の横片を上フレーム２に固着具により固着するものである。このようにして図１に示す状態とする。
【００２０】
上記した実施形態においては接続用溝部１８とこれに嵌め込まれるリブ２０とで洗い場側床パン６と浴槽支持枠体３とを接続するための接続手段を構成した例を示したが、図７乃至図１２のように上フレーム２の上面部の長手方向の端部に断面Ｌ字状をした接続金具２１の下横片を固着し、この接続金具２１の縦片を洗い場補強フレーム７にビスのような固着具１０により固着することで洗い場側床パン６と浴槽支持枠体３とを接続するための接続手段が構成してもよい。ここで、図７は前述の実施形態の図１に対応し、図８（ａ）（ｂ）は前述の実施形態の図２（ａ）（ｂ）に対応し、図９（ａ）（ｂ）は前述の実施形態の図３（ａ）（ｂ）に対応し、図１０は前述の実施形態の図４に対応し（但し、本実施形態では図１の段階で固着具１０により固着する作業を行う。）、図１１は前述の実施形態の図５に対応し、図１２は図６にそれぞれ対応するものであり、接続手段による接続以外は同じ構成であり、その作業の説明も接続手段による接続作業の説明以外は前述の実施形態における図１乃至図５の説明と同じ説明であるので省略する。
【００２１】
ところで、上記各実施形態における図１、図６、図７、図１２に示す浴槽ユニット１１は浴槽１５と浴槽１５の上端開口部に設けたフランジ部１６とフランジ部１６の端部に立ち上げた壁パネルを建て込むための立ち上がり部１７とで構成してあるが、浴槽１５のみで浴槽ユニット１１を構成してもよく、この場合、洗い場側床パン６のエプロン用立ち上がり部６ａから中央部に浴槽嵌め込みよう開口部を有するフランジ部１６を一体に連出すると共に該フランジ部１６の端部に立ち上がり部１７を突設する。そして、浴槽ユニット１１を構成する浴槽１５を洗い場側床パン６に設けたフランジ部１６の中央部の開口部に浴槽１５を嵌め込んで該浴槽１５を浴槽支持枠体３の上フレーム２に載設するものである。
【００２２】
【発明の効果】
上記のように本発明の請求項１記載の発明にあっては、上記のように隙間を介して並設した複数の下フレームの上面間に下フレームより背の高い上フレームを複数列架設し、下フレームの下面部から高さ調整自在な浴槽側アジャスタボルトを垂設し、洗い場側床パンの下面部の他端部に脚を設けて該脚の下面部に洗い場側アジャスタボルトを垂設するので、背の高い上フレーム、脚により上下高さを確保できて、従来のように上下高さを確保するためにコンクリートブロックを設置してその上に浴槽側アジャスタボルトや洗い場側アジャスタボルトを設置するというようなことが必要でなく、現場施工が簡略化するものであり、また、洗い場側床パンの下面部の一端部側に洗い場補強フレームを固着し、洗い場側床パンの下面部の洗い場補強フレームを固着した方と反対側の他側端部に脚を固着すると共に脚の下面部から洗い場側アジャスタボルトを高さ調整自在に垂設し、浴槽支持枠体の上フレームの長手方向の端部上に洗い場側床パンの洗い場補強フレームを載設して接続手段により浴槽支持枠体と洗い場側床パンとを接続すると共に洗い場側アジャスタボルトの下端部を床下基部に載設するので、洗い場側床パンの一端部側を載設している上フレームの長手方向の端部間の隙間を利用して洗い場側アジャスタボルトの高さ調整が容易に行えるものである。
【００２３】
また、請求項２記載の発明にあっては、上記請求項１記載の発明の効果に加えて、上フレームを下フレームよりの背の高い断面略逆Ｖ字状をしたハット形鋼で構成し、ピース状の脚を断面略Ｖ字状をしたハット形鋼により構成してあるので、上フレーム、脚の背を高くしても安定して荷重を支持できるものである。
【００２４】
また、請求項３記載の発明にあっては、上記請求項２記載の発明の効果に加えて、断面略逆Ｖ字状をしたハット形鋼よりなる上フレームの両側斜片の下端部に横方向に向けて固定横片を連出し、該固定横片を下フレームの上面に載設してビスにより固着してあるので、浴槽支持枠体の組み立てに当たって、従来のように溶接により固着する必要がなくてビス止めにより簡単に組み立てることができるものである。
【図面の簡単な説明】
【図１】本発明の一実施形態の斜視図である。
【図２】同上の施工順序を示し、（ａ）は浴槽支持枠体の分解斜視図であり、（ｂ）は浴槽支持枠体の組み立て示す説明図であり、（ｃ）は接続用溝部を有する接続部材を上フレームに取付けている状態の側面図である。
【図３】同上の施工順序を示し、（ａ）は洗い場側床パンへの洗い場補強フレーム、脚の取付けを示す分解斜視図であり、（ｂ）は同上の下方から見た分解斜視図である。
【図４】同上の浴槽支持枠体への洗い場側床パンの接続を示す斜視図である。
【図５】同上の浴槽支持枠体、洗い場側床パンの高さ調整を示す斜視図である。
【図６】同上の浴槽支持枠体に浴槽ユニットを載置する状態を示す分解斜視図である。
【図７】本発明の他の実施形態の斜視図である。
【図８】同上の施工順序を示し、（ａ）は浴槽支持枠体の分解斜視図であり、（ｂ）は浴槽支持枠体の組み立て示す説明図である。
【図９】同上の施工順序を示し、（ａ）は洗い場側床パンへの洗い場補強フレーム、脚の取付けを示す分解斜視図であり、（ｂ）は同上の下方から見た分解斜視図である。
【図１０】同上の浴槽支持枠体への洗い場側床パンの接続を示す斜視図である。
【図１１】同上の浴槽支持枠体、洗い場側床パンの高さ調整を示す斜視図である。
【図１２】同上の浴槽支持枠体に浴槽ユニットを載置する状態を示す分解斜視図である。
【図１３】従来例を示す斜視図である。
【符号の説明】
１  下フレーム
２  上フレーム
３  浴槽支持枠体
４  浴槽側アジャスタボルト
５  床下基部
６  洗い場側床パン
７  洗い場補強フレーム
８  脚
９  洗い場側アジャスタボルト
１１  浴槽ユニット
１２  側斜片
１３  固定横片
【図１】
2004176324.tif 000003
【図２】
2004176324.tif 000004
【図３】
2004176324.tif 000005
【図４】
2004176324.tif 000006
【図５】
2004176324.tif 000007
【図６】
2004176324.tif 000008
【図７】
2004176324.tif 000009
【図８】
2004176324.tif 000010
【図９】
2004176324.tif 000011
【図１０】
2004176324.tif 000012
【図１１】
2004176324.tif 000013
【図１２】
2004176324.tif 000014
【図１３】
2004176324.tif 000015